(57)【要約】【目的】  本発明は、大型化及び可搬性の低下を抑制し、オーブン調理を行えるバーベキューグリルを提供する。【構成】  バーベキューグリルＧ１は、フレーム１００ａ、１００ｂと、脚部２１０ａ、２２０ａ、２１０ｂ、２２０ｂと、連結部２３０ａ、２３０ｂと、火床３００と、上板４００と、下板５００とを備えている。脚部２１０ａ、２１０ｂはフレーム１００ａに、脚部２２０ａ、２２０ｂはフレーム１００ｂに固定される。連結部２３０ａは脚部２１０ａ、２２０ａを、連結部２３０ｂは脚部２１０ｂ、２２０ｂを連結する。火床３００はフレーム１００ａ、１００ｂに支持される。上板４００は火床３００よりも上側に位置するようフレーム１００ａ、１００ｂに支持される。食材が載置可能な下板５００は、火床３００と上板４００との間及びフレーム１００ａ、１００ｂの間に位置するようフレーム１００ａ、１００ｂに支持される。【選択図】      図１Ａ
2016049182.tif 000002
【特許請求の範囲】
【請求項１】
第１方向において互いに間隔をあけて対向する一対のフレームと、
前記フレームに固定された複数の脚部と、
隣り合う二つの前記脚部、及び前記フレームの少なくとも一方を連結する複数の連結部と、
前記フレーム、前記脚部及び前記連結部の少なくとも一つに支持された火床と、
耐熱性を有する板であって、前記火床よりも上側に位置するように前記フレーム、前記脚部及び前記連結部の少なくとも一つに支持された上板と、
食材が載置可能な耐熱性を有する板であって、前記火床と前記上板との間及び前記フレームの間に位置するように前記火床、前記フレーム、前記脚部及び前記連結部の少なくとも一つに支持された下板とを備えているバーベキューグリル。
【請求項２】
請求項１記載のバーベキューグリルにおいて、
前記フレームが、前記第１方向において前記上板と前記下板の間の空間を閉塞しているバーベキューグリル。
【請求項３】
請求項１記載のバーベキューグリルにおいて、
前記フレーム及び前記連結部が、前記第１方向において前記上板と前記下板の間の空間を閉塞しているバーベキューグリル。
【請求項４】
第１方向において互いに間隔をあけて対向する板である一対のフレームと、
前記フレームを連結する板である一対の連結部と、
前記フレーム及び前記連結部によって区画された空間を下方から閉塞するように前記フレーム及び前記連結部に固定された底板と、
前記フレーム、前記連結部及び前記底板の少なくとも一つに固定された複数の脚部と、  
前記フレーム、前記連結部、前記底板及び前記脚部の少なくとも一つに支持された火床と、
耐熱性を有する板であって、前記火床よりも上側に位置するように前記フレーム、前記脚部及び前記連結部の少なくとも一つに支持された上板と、
食材が載置可能な耐熱性を有する板であって、前記火床と前記上板との間及び前記フレームの間に位置するように前記火床、前記フレーム、前記脚部及び前記連結部の少なくとも一つに支持された下板とを備えているバーベキューグリル。
【請求項５】
請求項１〜４の何れかに記載のバーベキューグリルにおいて、
前記下板は、前記火床上に載置されているバーベキューグリル。
【請求項６】
請求項１〜５の何れかに記載のバーベキューグリルにおいて、
前記フレーム、前記脚部及び前記連結部の少なくとも一つは、前記火床を支持する第１鍔部を有しているバーベキューグリル。
【請求項７】
請求項１〜６の何れかに記載のバーベキューグリルにおいて、
前記フレーム、前記脚部及び前記連結部の少なくとも一つは、前記上板を支持する第２鍔部を有しているバーベキューグリル。
【請求項８】
請求項１〜７の何れかに記載のバーベキューグリルにおいて、
前記フレーム、前記脚部及び前記連結部の少なくとも一つは、前記下板を支持する第３鍔部を有しているバーベキューグリル。
【請求項９】
請求項１〜８の何れかに記載のバーベキューグリルにおいて、
前記上板と前記下板の間の空間は、前記フレームの長手方向である第２方向に開放されており、
前記下板は、前記上板と前記下板の間の空間に対して前記第２方向に出し入れ可能であるバーベキューグリル。
【請求項１０】
請求項１〜９の何れかに記載のバーベキューグリルにおいて、
前記下板及び前記上板の少なくとも一方には、当該下板を移動させるための治具が係合可能な係合部が設けられているバーベキューグリル。
【請求項１１】
請求項１〜１０の何れか記載のバーベキューグリルにおいて、
前記上板は、凹部を有しており、
当該上板は、前記凹部が上又は下に向くようにして配置されているバーベキューグリル。
【請求項１２】
請求項１〜３の何れかに記載のバーベキューグリルにおいて、
前記フレームは、板又は筒であるバーベキューグリル。
【請求項１３】
請求項２記載のバーベキューグリルにおいて、
前記底板が前記火床であるバーベキューグリル。
【発明の詳細な説明】
【技術分野】
【０００１】
本発明は、バーベキューグリルに関する。
【背景技術】
【０００２】
下記特許文献１には、バーベキューグリルを利用したオーブンが記載されている。このオーブンは、バーベキューグリルに支持された金属板上に下面開放の箱型のカバーが載置された構成となっている。カバーには、開口が設けられている。この開口からカバー内に食材が入れられ、鉄板上に置かれる。鉄板上で食材のオーブン調理が可能になっている
【先行技術文献】
【特許文献】
【０００３】
【特許文献１】特開２００５−２２１２１５号公報
【発明の概要】
【発明が解決しようとする課題】
【０００４】
上記オーブンは、箱型のカバーが必須であることから、大型化し且つ可搬性が悪くなる。
【０００５】
本発明は、上記事情に鑑みて創案されたものであって、その目的とするところは、大型化及び可搬性の低下を抑制しつつ、オーブン調理を行うことが可能なバーベキューグリルを提供することにある。
【課題を解決するための手段】
【０００６】
上記課題を解決するために、本発明の第１バーベキューグリルは、一対のフレームと、複数の脚部と、複数の連結部と、火床と、上板と、下板とを備えている。フレームは、第１方向において互いに間隔をあけて対向している。脚部はフレームに固定されている。連結部は、隣り合う二つの脚部、及びフレームの少なくとも一方を連結している。火床は、フレーム、脚部及び連結部の少なくとも一つに支持されている。上板は耐熱性を有する板である。上板は、火床よりも上側に位置するようにフレーム、脚部及び連結部の少なくとも一つに支持されている。下板は食材が載置可能な耐熱性を有する板である。下板は、火床と上板との間及びフレームの間に位置するように火床、フレーム、脚部及び連結部の少なくとも一つに支持されている。
【０００７】
このような態様の第１バーベキューグリルは、以下の技術的特徴及び効果を有する。第１に、第１バーベキューグリルは、オーブン調理を行うことができる。下板が火床と上板との間及びフレームの間に位置しているので、少なくとも上板と、下板と、フレームとによって区画される空間内の空気が、火床内に収容される加熱燃料によって加熱されることにより、当該空間内で熱対流を起こす。これにより、当該空間内でオーブン調理を行うことが可能になる。下板上に食材を配置することによって、左記空間でオーブン調理を行うことができる。第２に、第１バーベキューグリルの大型化及び可搬性の低下が抑制される。上板は、従来のバーベキューグリルの調理用の鉄板に相当する。火床、フレーム、脚部及び連結部も、従来のバーベキューグリルの火床、フレーム、脚部及び連結部に相当する。よって、第１バーベキューグリルは、下板の分、部品点数が増加するだけであるので、第１バーベキューグリルの大型化及び可搬性の低下が抑制される。第３に、上板にも加熱燃料を配置することが可能であるので、上板上の加熱燃料の放射熱を利用してオーブン調理を行うことが可能である。第４に、上板上で食材を調理することが可能である。
【０００８】
フレームが、第１方向において上板と下板の間の空間を閉塞した構成とすることが可能である。このような態様の第１バーベキューグリルによる場合、オーブンの調理性能を向上させることができる。上板及び下板の間の空間の両側がフレームで閉塞されているため、当該空間内で熱対流が生じ易くなる。
【０００９】
フレーム及び連結部が、第１方向において上板と下板の間の空間を閉塞閉塞した構成とすることが可能である。このような態様の第１バーベキューグリルによる場合、オーブンの調理性能を向上させることができる。上板及び下板の間の空間の両側がフレーム及び連結部で閉塞されているため、当該空間内で熱対流が生じ易くなる。
【００１０】
本発明の第２バーベキューグリルは、一対のフレームと、一対の連結部と、底板と、複数の脚部と、火床と、上板と、下板とを備えている。フレームは、第１方向において互いに間隔をあけて対向する板である。連結部は、フレームを連結する板である。底板はフレーム及び連結部によって区画された空間を下方から閉塞するようにフレーム及び連結部に固定されている。脚部は、フレーム、連結部及び底板の少なくとも一つに固定されている。火床は、フレーム、連結部、底板及び脚部の少なくとも一つに支持されている。上板は耐熱性を有する板である。上板は、火床よりも上側に位置するようにフレーム、脚部及び連結部の少なくとも一つに支持されている。下板は食材が載置可能な耐熱性を有する板である。下板は、火床と上板との間及びフレームの間に位置するように火床、フレーム、脚部及び連結部の少なくとも一つに支持されている。
【００１１】
このような態様の第２バーベキューグリルは、以下の技術的特徴及び効果を有する。第１に、第２バーベキューグリルは、オーブン調理を行うことができる。下板が火床と上板との間及びフレームの間に位置しているので、少なくとも上板と、下板と、フレームとによって区画される空間内の空気が、火床内に収容される加熱燃料によって加熱されることにより、当該空間内で熱対流を起こす。これにより、当該空間内でオーブン調理を行うことが可能になる。下板上に食材を配置することによって、左記空間でオーブン調理を行うことができる。第２に、第２バーベキューグリルの大型化及び可搬性の低下が抑制される。上板は、従来のバーベキューグリルの調理用の鉄板に相当する。火床、フレーム、脚部、連結部及び底板も、従来のバーベキューグリルの火床、フレーム、脚部、連結部及び底板に相当する。よって、第２バーベキューグリルは、下板の分、部品点数が増加するだけであるので、第２バーベキューグリルの大型化及び可搬性の低下が抑制される。第３に、上板にも加熱燃料を配置することが可能であるので、上板上の加熱燃料の放射熱を利用してオーブン調理を行うことが可能である。第４に、上板上で食材を調理することが可能である。
【００１２】
下板は、火床上に載置された構成とすることが可能である。このような態様の第１、第２バーベキューグリルは、構成の簡略化を行うことが可能である。下板を支持するための機構が不要であるからである。
【００１３】
フレーム、脚部及び連結部の少なくとも一つは、火床を支持する第１鍔部を有する構成とすることが可能である。フレーム、脚部及び連結部の少なくとも一つは、上板を支持する第２鍔部を有する構成とすることが可能である。フレーム、脚部及び連結部の少なくとも一つは、下板を支持する第３鍔部を有する構成とすることが可能である。
【００１４】
上板と下板の間の空間は、フレームの長手方向である第２方向に開放された構成とすることが可能である。下板は、上板と下板の間の空間に対して第２方向に出し入れ可能である構成とすることが可能である。このような態様の第１、第２バーベキューグリルは、利便性が向上する。なぜなら、下板上に食材を載せて上板と下板の間の空間に対して第２方向に出し入れ可能であるからである。
【００１５】
下板及び上板の少なくとも一方には、当該下板を移動させるための治具が係合可能な係合部が設けられた構成とすることが可能である。このような態様の第１、第２バーベキューグリルは、利便性が向上する。加熱された上板及び下板の少なくとも一方を治具を用いて移動させることができるためである。
【００１６】
上板は、凹部を有する構成とすることが可能である。当該上板は、凹部が上又は下に向くようにして配置された構成とすることが可能である。凹部が上を向くように上板が配置される場合、上板の凹部に加熱燃料を配置し易くなる。凹部が下を向くように上板が配置される場合、上板と下板との間の空間が大きくなる。
【００１７】
フレームは、板又は筒とすることが可能である。
【００１８】
底板が火床である構成とすることが可能である。
【図面の簡単な説明】
【００１９】
【図１Ａ】本発明の実施例１に係るバーベキューグリルの概略的斜視図である。
【図１Ｂ】前記バーベキューグリルの図１Ａ中の１Ｂ−１Ｂ断面図である。
【図１Ｃ】前記バーベキューグリルの図１Ａ中の１Ｃ−１Ｃ断面図である。
【図１Ｄ】前記バーベキューグリルのフレーム及び支持脚の概略的斜視図である。
【図２Ａ】本発明の実施例２に係るバーベキューグリルの概略的側面図である。
【図２Ｂ】前記バーベキューグリルの概略的正面図である。
【図２Ｃ】前記バーベキューグリルの概略的背面図である。
【図３Ａ】本発明の実施例３に係るバーベキューグリルの概略的側面図である。
【図３Ｂ】前記バーベキューグリルの概略的正面図である。
【図３Ｃ】前記バーベキューグリルの概略的背面図である。
【図４Ａ】本発明の実施例４に係るバーベキューグリルの概略的側面図である。
【図４Ｂ】前記バーベキューグリルの概略的正面図である。
【発明を実施するための形態】
【００２０】
以下、本発明の実施例１〜４について説明する。
【実施例１】
【００２１】
以下本発明の実施例１に係るバーベキューグリルＧ１について図１Ａ〜図１Ｄを参照しつつ説明する。バーベキューグリルＧ１は、フレーム１００ａと、フレーム１００ｂと、支持脚２００ａと、支持脚２００ｂと、火床３００と、上板４００と、下板５００とを備えている。以下、バーベキューグリルＧ１の各構成要素について詳しく説明する。図１Ａ〜図１Ｃに示されるＸ−Ｘ’方向は、フレーム１００ａ、１００ｂの対向方向であって、特許請求の範囲の第１方向に相当している。図１Ａに示されるＹ−Ｙ’方向は、フレーム１００ａ、１００ｂの長手方向であって、特許請求の範囲の第２方向に相当している。図１Ａ〜図１Ｃに示されるＺ−Ｚ’方向は、フレーム１００ａ、１００ｂの高さ方向である。Ｙ−Ｙ’方向はＸ−Ｘ’方向に直角に交差しており、Ｚ−Ｚ’方向はＹ−Ｙ’方向及びＸ−Ｘ’方向に直角に交差している。
【００２２】
フレーム１００ａ、１００ｂは金属で構成された耐熱性を有する筒である。フレーム１００ａ、１００ｂは、図１Ａ〜図１Ｄに示されるようにＸ−Ｘ’方向において対称形状である。フレーム１００ａ、１００ｂはＸ−Ｘ’方向において互いに間隔をあけて対向している。
【００２３】
フレーム１００ａは、フレーム本体１１０ａと、第１長尺リブ１２０ａと、第２長尺リブ１３０ａと、第１鍔部１４０ａと、第２鍔部１５０ａとを有している。
【００２４】
フレーム本体１１０ａは、Ｙ−Ｙ’方向に延びた略三角形状の筒であって、金属で構成されている。フレーム本体１１０ａは、図１Ｂ及び図１Ｃに最も良く示されているように、底板１１１ａと、外側板１１２ａと、内側板１１３ａと、第１角Ｒ１ａと、第２角Ｒ２ａと、第３角Ｒ３ａとを有している。底板１１１ａは、Ｙ−Ｙ’方向に延びた長方形の板であって、Ｘ方向の端と、Ｘ’方向の端とを有している。外側板１１２ａは、Ｙ−Ｙ’方向に延びる円弧状の板であって、Ｚ方向及びＸ’方向に湾曲している。外側板１１２ａは、下端と、上端とを有している。外側板１１２ａの下端が底板１１１ａのＸ方向の端に一体的に接続されている。内側板１１３ａは、Ｙ−Ｙ’方向に延びる円弧状の板であって、Ｚ方向及びＸ’方向に湾曲している。内側板１１３ａは、下端と、上端とを有している。内側板１１３ａの下端が底板１１１ａのＸ’方向の端に一体的に接続されている。外側板１１２ａの上端と内側板１１３ａの上端とが一体的に接続されている。なお、フレーム本体１１０ａは、円筒又は多角形状の筒に設計変更可能である。
【００２５】
第１角Ｒ１ａは、フレーム本体１１０ａの外側板１１２ａと内側板１１３ａとが突き合わされた角である。第２角Ｒ２ａは、フレーム本体１１０ａの底板１１１ａと外側板１１２ａとが突き合わされた角である。第３角Ｒ３ａは、フレーム本体１１０ａの底板１１１ａと内側板１１３ａとが突き合わされた角である。第１角Ｒ１ａ〜Ｒ３のＹ−Ｙ’方向の寸法は、フレーム本体１１０ａのＹ−Ｙ’方向の寸法と同じである。
【００２６】
第１長尺リブ１２０ａは、フレーム本体１１０ａの第１角Ｒ１ａの内面上に設けられており且つ当該第１角Ｒ１ａのＹ方向の端からＹ’方向の端にかけてＹ−Ｙ’方向に延びている。第１長尺リブ１２０ａのＹ−Ｙ’方向の寸法は、フレーム本体１１０ａのＹ−Ｙ’方向の寸法と同じである。第１長尺リブ１２０ａは、Ｘ−Ｘ’方向の断面において略Ｃ字状である。第１長尺リブ１２０ａには、当該第１長尺リブ１２０ａをＹ−Ｙ’方向に貫通する貫通孔１２１ａが設けられている。
【００２７】
第１長尺リブ１２０ａは、リブ１２２ａ（第１リブ）と、リブ１２３ａ（第３リブ）とを有している。リブ１２２ａは、第１長尺リブ１２０ａのＹ方向側の第１端部である。第１長尺リブ１２０ａの貫通孔１２１ａのＹ方向側の端部の内周面にネジ溝が形成されている。リブ１２３ａは、第１長尺リブ１２０ａのＹ’方向側の第２端部である。第１長尺リブ１２０ａの貫通孔１２１ａのＹ’方向側の端部の内周面にネジ溝が形成されている。
【００２８】
第２長尺リブ１３０ａは、フレーム本体１１０ａの第２角Ｒ２ａの内面上に設けられており且つ当該第２角Ｒ２ａのＹ方向の端からＹ’方向の端にかけてＹ−Ｙ’方向に延びている。このように第２長尺リブ１３０ａは、フレーム本体１１０ａの内面上の第１長尺リブ１２０ａが設けられた箇所と異なる箇所（第１長尺リブ１２０ａが設けられた箇所よりも下側の箇所）に設けられている。第２長尺リブ１３０ａのＹ−Ｙ’方向の寸法は、フレーム本体１１０ａのＹ−Ｙ’方向の寸法と同じである。第２長尺リブ１３０ａは、Ｘ−Ｘ’方向の断面において略Ｃ字状である。第２長尺リブ１３０ａには、当該第２長尺リブ１３０ａをＹ−Ｙ’方向に貫通する貫通孔１３１ａが設けられている。
【００２９】
第２長尺リブ１３０ａは、リブ１３２ａ（第２リブ）と、リブ１３３ａ（第４リブ）とを有している。リブ１３２ａは、第２長尺リブ１３０ａのＹ方向側の第１端部である。第２長尺リブ１３０ａの貫通孔１３１ａのＹ方向側の端部の内周面にネジ溝が形成されている。リブ１３３ａは、第２長尺リブ１３０ａのＹ’方向側の第２端部である。第２長尺リブ１３０ａの貫通孔１３１ａのＹ’方向側の端部の内周面にネジ溝が形成されている。
【００３０】
なお、上記第１、第２長尺リブ１２０ａ、１３０ａが省略され、上記第１〜第４リブのみが上記した何れかの態様のフレーム本体１１０ａに設けられた構成とすることが可能である。第１、第２長尺リブ１２０ａ、１３０ａは、上記した何れかの態様のフレーム本体１１０ａの内面又は外面に設けられていても良い。上記第１〜第４リブのみが上記した何れかの態様のフレーム本体１１０ａの端部の内面又は外面に設けられた構成とすることが可能である。第１、第２長尺リブ１２０ａ、１３０ａは、Ｘ−Ｘ’方向の断面において略Ｏ字状、又は貫通孔１２１ａ、１３１ａが設けられていない構成とすることが可能である。第１、第２長尺リブ１２０ａ、１３０ａは一体化することができる。上記第１、第２リブは一体化することができる。上記第３、第４リブは一体化することができる。
【００３１】
第１鍔部１４０ａは、フレーム本体１１０ａの第３角Ｒ３ａからＸ’方向（フレーム１００ｂの後述するフレーム本体１１０ｂ側）に延びた後、Ｚ方向に延びた略Ｌ字状の板である。第１鍔部１４０ａは、Ｙ−Ｙ’方向に延びた長尺状であって、フレーム本体１１０ａと同じＹ−Ｙ’方向の寸法を有している。第１鍔部１４０ａの中央部には、Ｚ方向に凸の図示しない突起が設けられている。
【００３２】
第２鍔部１５０ａは、フレーム本体１１０ａの内側板１１３ａの第１鍔部１４０ａよりもＺ方向側の箇所からＸ’方向（フレーム１００ｂのフレーム本体１１０ｂ側）に延びた矩形状の板である。第２鍔部１５０ａは、Ｙ−Ｙ’方向に延びた長尺状であって、フレーム本体１１０ａと同じＹ−Ｙ’方向の寸法を有している。
【００３３】
フレーム１００ｂは、上記の通りフレーム１００ａの対称形状であるので、フレーム１００ａと相違する部分について詳しく説明し、重複する説明は省略する。フレーム１００ｂは、フレーム本体１１０ｂと、第１長尺リブ１２０ｂと、第２長尺リブ１３０ｂと、第１鍔部１４０ｂと、第２鍔部１５０ｂとを有している。
【００３４】
フレーム本体１１０ｂは、Ｘ−Ｘ’方向においてフレーム本体１１０ａの対称形状である以外、フレーム本体１１０ａと同じ構成である。フレーム本体１１０ｂの外側板１１２ｂは、Ｙ−Ｙ’方向に延びる円弧状の板であって、Ｚ方向及びＸ方向に湾曲している。フレーム本体１１０ｂの内側板１１３ｂは、Ｙ−Ｙ’方向に延びる円弧状の板であって、Ｚ方向及びＸ方向に湾曲している。なお、図１Ｂ〜図１Ｄ中の１１１ｂは、フレーム本体１１０ｂの底板である。図１Ｂ〜図１Ｃ中のＲ１ｂはフレーム本体１１０ｂの第１角部である。Ｒ２ｂはフレーム本体１１０ｂの第２角部である。Ｒ３ｂはフレーム本体１１０ｂの第３角部である。なお、フレーム本体１１０ｂは、円筒又は多角形状の筒に設計変更可能である。
【００３５】
第１長尺リブ１２０ｂは、Ｘ−Ｘ’方向において第１長尺リブ１２０ａの対称形状である以外、第１長尺リブ１２０ａと同じ構成である。図１Ｂ中の１２２ｂが第１長尺リブ１２０ｂのリブ（第１リブ）である。図１Ｃ中の１２３ｂが第１長尺リブ１２０ｂのリブ（第３リブ）である。第２長尺リブ１３０ｂは、Ｘ−Ｘ’方向において第２長尺リブ１３０ａの対称形状である以外、第２長尺リブ１３０ａと同じ構成である。図１Ｂ中の１３２ｂが第２長尺リブ１３０ｂのリブ（第２リブ）である。図１Ｃ中の１３３ｂが第２長尺リブ１３０ｂのリブ（第４リブ）である。
【００３６】
なお、上記第１、第２長尺リブ１２０ｂ、１３０ｂが省略され、上記第１〜第４リブのみが上記した何れかの態様のフレーム本体１１０ｂに設けられた構成とすることが可能である。第１、第２長尺リブ１２０ｂ、１３０ｂは、上記した何れかの態様のフレーム本体１１０ａの内面又は外面に設けられていても良い。上記第１〜第４リブのみが上記した何れかの態様のフレーム本体１１０ｂの端部の内面又は外面に設けられた構成とすることが可能である。上記した何れかの態様の第１、第２長尺リブ１２０ｂ、１３０ｂは、Ｘ−Ｘ’方向の断面において略Ｏ字状、又は貫通孔１２１ｂ、１３１ｂが設けられていない構成とすることが可能である。第１、第２長尺リブ１２０ｂ、１３０ｂは一体化することができる。上記第１、第２リブは一体化することができる。上記第３、第４リブは一体化することができる。
【００３７】
第１鍔部１４０ｂは、フレーム本体１１０ｂの第３角Ｒ３ｂからＸ方向（フレーム１００ａのフレーム本体１１０ａ側）に延びた後、Ｚ方向に延びた略Ｌ字状の板である。第２鍔部１５０ｂは、フレーム本体１１０ｂの内側板１１３ｂの第１鍔部１４０ｂよりもＺ方向側の箇所からＸ方向（フレーム１００ａのフレーム本体１１０ａ側）に延びた矩形状の板である。
【００３８】
支持脚２００ａは下向き略Ｕ字状のパイプである。支持脚２００ａは、脚部２１０ａと、脚部２２０ａと、連結部２３０ａとを有している。脚部２１０ａは、フレーム１００ａのフレーム本体１１０ａの外側板１１２ａに沿って湾曲した上端部を有するパイプである。脚部２１０ａの上端部は、図１Ｂに最も良く示されているように、フレーム１００ａのリブ１２２ａ及びリブ１３２ａにネジ又はピンで固定されている。脚部２２０ａは、フレーム本体１１０ｂの外側板１１２ｂに沿って湾曲した上端部を有するパイプである。脚部２２０ａの上端部は、フレーム１００ｂのリブ１２２ｂ及びリブ１３２ｂにネジ又はピンで固定されている。連結部２３０ａは、脚部２１０ａの上端部と脚部２２０ａの上端部とを一体的に連結するパイプである。連結部２３０ａが特許請求の範囲の連結部に相当する。なお、第１、脚部２１０ａ、２２０ａは、高さ調整が可能な構成とすることが可能である。例えば、第１、脚部２１０ａ、２２０ａは、複数のパイプが同心円状に配置され、伸縮可能な構成とすることが可能である。また、第１、脚部２１０ａ、２２０ａは、複数のパイプを当該パイプの長さ方向に取り外し可能に連結させた構成とすることが可能である。パイプを取り外すことによって、第１、脚部２１０ａ、２２０ａの高さ調整がなされる。
【００３９】
支持脚２００ｂは支持脚２００ａと同様の構成であって、脚部２１０ｂと、脚部２２０ｂと、連結部２３０ｂとを有している。以下、支持脚２００ｂが支持脚２００ａと相違する点について詳しく説明し、重複する説明は省略する。なお、連結部２３０ｂも特許請求の範囲の連結部に相当する。
【００４０】
脚部２１０ｂの上端部は、図１Ｃに最も良く示されているように、フレーム１００ａのリブ１２３ａ及びリブ１３３ａにネジ又はピンで固定されている。脚部２２０ｂの上端部は、フレーム１００ｂのリブ１２３ｂ及びリブ１３３ｂにネジ又はピンで固定されている。
【００４１】
火床３００は、図１Ｂ及び図１Ｃに最も良く示されているように、フレーム１００ａ、１００ｂの第１鍔部１４０ａ、１４０ｂにＹ−Ｙ’方向に移動自在に懸架されている。火床３００は、火床本体３１０と、フランジ３２０ａ、３２０ｂとを有している。火床本体３１０は上方に開放された金属製の箱である。火床本体３１０に炭や薪などの加熱燃料が収容可能となっている。
【００４２】
フランジ３２０ａは、火床本体３１０からＸ方向に延びた後、Ｚ’方向に延びた板である。フランジ３２０ａがフレーム１００ａの第１鍔部１４０ａにＹ−Ｙ’方向に移動自在に支持されている。フランジ３２０ｂは、火床本体３１０からＸ’方向に延びた後、Ｚ’方向に延びた板である。フランジ３２０ｂがフレーム１００ｂの第１鍔部１４０ｂにＹ−Ｙ’方向に移動自在に支持されている。
【００４３】
上板４００は、耐熱性を有する板（例えば、金属板（従来のバーベキューグリルの調理用の鉄板を使用できる。）、セラミック板又は溶岩等の石板等）である。上板４００のＹ−Ｙ’方向の寸法は、フレーム１００ａ、１００ｂの第２鍔部１５０ａ、１５０ｂのＹ−Ｙ’方向の寸法より小さい又は同じとすることが可能である。上板４００が第２鍔部１５０ａ、１５０ｂに支持されている。上板４００は、火床３００よりも上側でフレーム１００ａ、１００ｂの間に配置されている。上板４００は、図１Ａに最も良く示されているように、上板４００をＺ−Ｚ’方向に貫通する孔である複数の係合部４１０を有する構成とすることが可能である。隣り合う二つの係合部４１０に図示しないＵ字状の治具の二つの先端部が係合可能となっている。治具の先端部が二つの係合部４１０に係合されることによって、治具を用いて上板４００を可搬させることが可能である。
【００４４】
下板５００は、耐熱性を有する板（例えば、金属板、セラミック板又は溶岩等の石板等）である。下板５００上に食材が載置可能である。下板５００は、火床３００と上板４００との間及びフレーム１００ａ、１００ｂの間で火床３００に支持されている。具体的には、下板５００は、火床３００上にＹ−Ｙ’方向に移動自在に載置されている。下板５００のＹ−Ｙ’方向の寸法は、火床３００のＹ−Ｙ’方向の寸法より小さい又は同じとすることが可能である。下板５００は、本体板５１０と、一対のガイド部５２０とを有している。本体板５１０は、火床３００よりも若干大きいＸ−Ｘ’方向の寸法を有している。本体板５１０は、Ｘ方向の端と、Ｘ’方向の端とを有している。ガイド部５２０が、本体板５１０のＸ方向の端及びＸ’方向の端から各々Ｚ’方向に延びている。ガイド部５２０が、火床３００のフランジ３２０ａ、３２０ｂに沿って移動することによって、下板５００がＹ−Ｙ’方向に移動するときにガイドされる。
【００４５】
本体板５１０は、図１Ａに最も良く示されているように、本体板５１０をＺ−Ｚ’方向に貫通する孔である一対の係合部５１１を更に有する構成とすることが可能である。係合部５１１に図示しないＵ字状の治具の二つの先端部が係合可能となっている。治具の先端部が係合部５１１に係合されることによって、下板５００を可搬させることが可能になっている。
【００４６】
火床３００と、上板４００と、下板５００と、フレーム１００ａ、１００ｂ（フレーム本体１１０ａ、１１０ｂ、第１鍔部１４０ａ、１４０ｂ、及び第２鍔部１５０ａ、１５０ｂ）とにより、調理空間（特許請求の範囲の請求項２の空間に相当する。）が区画されている。換言すると、フレーム１００ａ、１００ｂが調理空間のＸ−Ｘ’方向側を閉塞し、上板４００が調理空間のＺ方向側を閉塞し、火床３００及び下板５００が調理空間のＺ’方向側を閉塞している。この調理空間は、Ｙ−Ｙ’方向に開放されている。この調理空間内の空気は、火床３００内の加熱燃料に加熱されることによって、当該調理空間内で対流する。これにより、調理空間内で食材をオーブン調理することが可能になっている。下板５００及び／又は火床３００が調理空間に対してＹ−Ｙ’方向に出し入れ自在である。
【００４７】
以下、上記した構成のバーベキューグリルＧ１の組み立て手順について詳しく説明する。まず、フレーム１００ａ、１００ｂ及び支持脚２００ａを用意する。その後、支持脚２００ａの脚部２１０ａをフレーム１００ａのリブ１２２ａ、１３２ａ（第１、第２長尺リブ１２０ａ、１３０ａの第１端部）にネジ止め又はピン止めする。このようにして支持脚２００ａの脚部２１０ａがフレーム１００ａのＹ方向側の端に固定される。その後、支持脚２００ａの脚部２２０ａをフレーム１００ｂのリブ１２２ｂ、１３２ｂ（第１、第２長尺リブ１２０ｂ、１３０ｂの第１端部）にネジ止め又はピン止めする。このようにして支持脚２００ａの脚部２２０ａがフレーム１００ｂのＹ方向側の端に固定される。
【００４８】
その後、支持脚２００ｂを用意する。支持脚２００ｂの脚部２１０ｂをフレーム１００ａのリブ１２３ａ、１３３ａ（第１、第２長尺リブ１２０ａ、１３０ａの第２端部）にネジ止め又はピン止めする。このようにして支持脚２００ｂの脚部２１０ｂがフレーム１００ａのＹ’方向側の端に固定される。支持脚２００ｂの脚部２２０ｂをフレーム１００ｂのリブ１２３ｂ、１３３ｂ（第１、第２長尺リブ１２０ｂ、１３０ｂの第２端部）にネジ止め又はピン止めする。このようにして支持脚２００ｂの脚部２２０ｂがフレーム１００ｂのＹ’方向側の端に固定される。
【００４９】
その後、火床３００を用意する。火床３００のフランジ３２０ａ、３２０ｂをフレーム１００ａ、１００ｂの第１鍔部１４０ａ、１４０ｂ上に載置する。その後、下板５００を用意する。下板５００を火床３００上に載置する。下板５００のガイド部５２０が火床３００のＸ−Ｘ’方向の両側に配置される。その後、上板４００を用意する。上板４００をフレーム１００ａ、１００ｂの第２鍔部１５０ａ、１５０ｂ上に載置する。これにより、火床３００、上板４００、下板５００及びフレーム１００ａ、１００ｂによって、調理空間が区画される。
【００５０】
以下、上記したバーベキューグリルＧ１を用いてオーブン調理を行う方法について詳しく説明する。まず、火床３００を下板５００と共に調理空間からＹ−Ｙ’方向に取り出す。その後、上記治具を下板５００の係合部５１１に挿入し、下板５００を火床３００から取り外す。火床３００内に加熱燃料を入れる。下板５００を火床３００上に設置する。下板５００上に食材を載せる。火床３００を下板５００と共に調理空間内に入れる。このようにして調理空間内で食材のオーブン調理がなされる。
【００５１】
以上のようなバーベキューグリルＧ１は、以下の技術的特徴及び効果を有する。第１に、バーベキューグリルＧ１は、上記の通りオーブン調理を行うことができる。上板４００の凹部が下に向けられている場合、調理空間を拡張することができる。
【００５２】
第２に、バーベキューグリルＧ１の大型化及び可搬性の低下が抑制される。上板４００は、従来のバーベキューグリルの調理用の鉄板に相当する。火床３００、フレーム１００ａ、１００ｂ、脚部２１０ａ、２１０ｂ、脚部２２０ａ、２２０ｂ、及び連結部２３０ａ、２３０ｂは、従来のバーベキューグリルの火床、フレーム、脚部及び連結部に相当する。よって、バーベキューグリルＧ１は、下板５００の分、部品点数が増加するだけであるので、バーベキューグリルＧ１の大型化及び可搬性の低下が抑制される。
【００５３】
第３に、上板４００にも加熱燃料を配置することが可能であるので、上板４００上の加熱燃料の放射熱を利用してオーブン調理を行うことが可能である。上板４００の凹部が上（Ｚ方向）に向けられている場合、加熱燃料を凹部内に配置することができる。
【００５４】
第４に、バーベキューグリルＧ１は、オーブン調理と同時に上板４００上で食材を調理することが可能であり、又は、オーブン調理と別に上板４００上で食材を調理することが可能である。
【実施例２】
【００５５】
以下、本発明の実施例２に係るバーベキューグリルＧ２について図２Ａ〜図２Ｃを参照しつつ説明する。バーベキューグリルＧ２は、フレーム１００ａ’、１００ｂ’の構成が実施例１のフレーム１００ａ、１００ｂの構成と相違し且つ連結部６００ａ、６００ｂを更に備えている以外、実施例１のバーベキューグリルＧ１と略同じ構成である。以下、その相違する構成について詳しく説明し、重複する説明は省略する。実施例１と同様に、図２Ａ中にＸ−Ｘ’方向及びＺ−Ｚ’方向が付されおり、図２Ｂ〜図２Ｃ中にＹ−Ｙ’方向及びＺ−Ｚ’方向が付されている。
【００５６】
支持脚２００ａ、２００ｂはＹ−Ｙ’方向において間隔をあけて対向している。
【００５７】
連結部６００ａは、図２Ｂに最も良く示されているように、略Ｏ字状のパイプである。連結部６００ａのＹ方向の端部が支持脚２００ａの脚部２１０ａの上端部にネジ又はピンで固定されている。連結部６００ａのＹ’方向の端部が支持脚２００ｂの脚部２１０ｂの上端部にネジ又はピンで固定されている。このように連結部６００ａは、脚部２１０ａと脚部２１０ｂとを連結している。
【００５８】
連結部６００ｂは、図２Ｃに最も良く示されているように、略Ｏ字状のパイプである。連結部６００ｂのＹ方向の端部が支持脚２００ａの脚部２２０ａの上端部にネジ又はピンで固定されている。連結部６００ｂのＹ’方向の端部が支持脚２００ｂの脚部２２０ｂの上端部にネジ又はピンで固定されている。このように連結部６００ｂは、脚部２２０ａと脚部２２０ｂとを連結している。なお、連結部６００ａ、６００ｂが特許請求の範囲の連結部に相当している。支持脚２００ａの連結部２３０ａ及び支持脚２００ｂの連結部２３０ｂも特許請求の範囲の連結部に相当している。
【００５９】
連結部６００ａ、６００ｂは、Ｕ字状のパイプ、下向き略Ｕ字状のパイプ、直線状のパイプ又は耐熱性を有する板に設計変更可能である。
【００６０】
フレーム１００ａ’、１００ｂ’は、金属板で構成されており且つ耐熱性を有している。フレーム１００ａ’、１００ｂ’はＸ−Ｘ’方向において対称形状である。フレーム１００ａ’、１００ｂ’はＸ−Ｘ’方向において互いに間隔をあけて対向している。
【００６１】
フレーム１００ａ’は、図２Ａに最も良く示されているように、フレーム本体１１０ａ’と、第１鍔部１４０ａ’と、第２鍔部１５０ａ’とを有している。フレーム本体１１０ａ’は、図２Ｂに最も良く示されているように、Ｙ−Ｙ’方向に延びた金属板である。フレーム本体１１０ａ’は、Ｙ方向の端部と、Ｙ’方向の端部と、Ｚ’方向の端（下端）と、Ｚ方向の端（上端）とを有している。フレーム本体１１０ａ’のＹ方向の端部が支持脚２００ａの脚部２１０ａの上端部及び連結部６００ａのＹ方向の端部にネジ又はピンで固定されている。フレーム本体１１０ａ’のＹ’方向の端部が支持脚２００ｂの脚部２１０ｂの上端部及び連結部６００ａのＹ’方向の端部にネジ又はピンで固定されている。
【００６２】
第１鍔部１４０ａ’は、図２Ａに最も良く示されているように、フレーム本体１１０ａ’の下端に設けられている以外、実施例１の第１鍔部１４０ａと同じ構成である。第２鍔部１５０ａ’は、フレーム本体１１０ａ’の上端（第１鍔部１４０ａ’よりも上側の箇所）に設けられている以外、実施例１の第２鍔部１５０ａと同じ構成である。
【００６３】
フレーム１００ｂ’は、上記の通りフレーム１００ａ’の対称形状であるので、フレーム１００ａ’と相違する部分について詳しく説明し、重複する説明は省略する。フレーム１００ｂ’は、図２Ｃに最も良く示されているように、フレーム本体１１０ｂ’と、第１鍔部１４０ｂ’と、第２鍔部１５０ｂ’とを有している。フレーム本体１１０ｂ’のＹ方向の端部が支持脚２００ａの脚部２２０ａの上端部及び連結部６００ｂのＹ方向の端部にネジ又はピンで固定されている。フレーム本体１１０ｂ’のＹ’方向の端部が支持脚２００ｂの脚部２２０ｂの上端部及び連結部６００ｂのＹ’方向の端部にネジ又はピンで固定されている。
【００６４】
第１鍔部１４０ｂ’は、図２Ａに最も良く示されているように、フレーム本体１１０ｂ’の下端に設けられている以外、実施例１の第１鍔部１４０ｂと同じ構成である。第２鍔部１５０ｂ’は、フレーム本体１１０ｂ’の上端（第１鍔部１４０ｂ’よりも上側の箇所）に設けられている以外、実施例１の第２鍔部１５０ｂと同じ構成である。
【００６５】
火床３００のフランジ３２０ａは、図２Ａに最も良く示されているように、フレーム１００ａ’の第１鍔部１４０ａ’にＹ−Ｙ’方向に移動自在に支持されている。火床３００のフランジ３２０ｂがフレーム１００ｂ’の第１鍔部１４０ｂ’にＹ−Ｙ’方向に移動自在に支持されている。
【００６６】
上板４００は、フレーム１００ａ’、１００ｂ’の第２鍔部１５０ａ’、１５０ｂ’に支持されている。すなわち、上板４００は、火床３００よりも上側でフレーム１００ａ’、１００ｂ’の間に配置されている。
【００６７】
火床３００と、上板４００と、下板５００と、フレーム１００ａ’、１００ｂ’（フレーム本体１１０ａ’、１１０ｂ’、第１鍔部１４０ａ’、１４０ｂ’、及び第２鍔部１５０ａ’、１５０ｂ’）とにより、調理空間（特許請求の範囲の請求項２の空間に相当する。）が区画されている。換言すると、フレーム１００ａ’、１００ｂ’が調理空間のＸ−Ｘ’方向側を閉塞し、上板４００が調理空間のＺ方向側を閉塞し、火床３００及び下板５００が調理空間のＺ’方向側を閉塞している。この調理空間は、Ｙ−Ｙ’方向に開放されている。この調理空間内の空気は、火床３００内の加熱燃料に加熱されることによって、当該調理空間内で対流する。これにより、調理空間内で食材をオーブン調理することが可能になっている。下板５００及び／又は火床３００が調理空間に対してＹ−Ｙ’方向に出し入れ自在である。
【００６８】
以下、上記した構成のバーベキューグリルＧ２の組み立て手順について詳しく説明する。連結部６００ａ及び支持脚２００ａ、２００ｂを用意する。連結部６００ａのＹ方向の端部が支持脚２００ａの脚部２１０ａに固定される。連結部６００ａのＹ’方向の端部が支持脚２００ｂの脚部２１０ｂに固定される。連結部６００ｂを用意する。連結部６００ｂのＹ方向の端部が支持脚２００ａの脚部２２０ａに固定される。連結部６００ｂのＹ’方向の端部が支持脚２００ｂの脚部２２０ｂに固定される。これにより、支持脚２００ａ、２００ｂがＹ−Ｙ’方向において間隔をあけて対向し、連結部６００ａ、６００ｂがＸ−Ｘ’方向において間隔をあけて対向する。
【００６９】
その後、フレーム１００ａ’を用意する。フレーム１００ａ’のＹ方向の端部が支持脚２００ａの脚部２１０ａ及び連結部６００ａのＹ方向の端部に固定される。フレーム１００ａ’のＹ’方向の端部が支持脚２００ｂの脚部２１０ｂ及び連結部６００ａのＹ’方向の端部に固定される。その後、フレーム１００ｂ’を用意する。フレーム１００ｂ’のＹ方向の端部が支持脚２００ａの脚部２２０ａ及び連結部６００ｂのＹ方向の端部に固定される。フレーム１００ｂ’のＹ’方向の端部が支持脚２００ｂの脚部２２０ｂ及び連結部６００ｂのＹ’方向の端部に固定される。これにより、フレーム１００ａ’、１００ｂ’がＸ−Ｘ’方向において間隔をあけて対向する。火床３００、上板４００及び下板５００は、実施例１と同様に、フレーム１００ａ’、１００ｂ’に支持される。
【００７０】
以上のようなバーベキューグリルＧ２は、バーベキューグリルＧ１と同様の第１〜第４の技術的特徴及び効果を有する。上板４００は、従来のバーベキューグリルの調理用の鉄板に相当する。火床３００、フレーム１００ａ’、１００ｂ’、脚部２１０ａ、２１０ｂ、脚部２２０ａ、２２０ｂ及び連結部２３０ａ、２３０ｂ、６００ａ、６００ｂは、従来のバーベキューグリルの火床、フレーム、脚部及び連結部に相当する。よって、バーベキューグリルＧ２は、下板５００の分、部品点数が増加するだけであるので、バーベキューグリルＧ２の大型化及び可搬性の低下が抑制される。
【実施例３】
【００７１】
以下、本発明の実施例３に係るバーベキューグリルＧ３について図３Ａ〜図３Ｃを参照しつつ説明する。バーベキューグリルＧ３は、フレーム１００ａ’、１００ｂ’の取り付け箇所が実施例２のバーベキューグリルＧ２のフレーム１００ａ’、１００ｂ’の取り付け箇所と相違し、且つ支持脚２００ａ’、２００ｂ’及び連結部６００ａ’、６００ｂ’の構成が、実施例２のバーベキューグリルＧ２の支持脚２００ａ、２００ｂ及び連結部６００ａ、６００ｂの構成と相違する以外、実施例１のバーベキューグリルＧ２と略同じ構成である。以下、その相違する構成について詳しく説明し、重複する説明は省略する。実施例１と同様に、図３Ａ中にＸ−Ｘ’方向及びＺ−Ｚ’方向が付されおり、図３Ｂ〜図３Ｃ中にＹ−Ｙ’方向及びＺ−Ｚ’方向が付されている。
【００７２】
支持脚２００ａ’、２００ｂ’は図３Ａ〜図３Ｃに示されているように、Ｘ−Ｘ’方向において間隔をあけて対向しており且つ連結部２３０ａ’、２３０ｂ’の長さ寸法が実施例２の連結部２３０ａ、２３０ｂの長さ寸法よりも大きい点で相違する以外、実施例２の支持脚２００ａ、２００ｂと略同じ構成である。
【００７３】
連結部６００ａ’、６００ｂ’は、図３Ａ〜図３Ｃに示されているように、Ｙ−Ｙ’方向において間隔をあけて対向している。連結部６００ａ’、６００ｂ’の幅方向の寸法が実施例２の連結部６００ａ、６００ｂの幅寸法よりも小さい。
【００７４】
連結部６００ａ’のＸ方向の端部は支持脚２００’ａの脚部２１０ａ’の上端部にネジ又はピンで固定されている。連結部６００ａ’のＸ’方向の端部は支持脚２００ｂ’の脚部２１０ｂ’の上端部にネジ又はピンで固定されている。このように連結部６００ａ’は、脚部２１０ａ’と脚部２１０ｂ’とを連結している。
【００７５】
連結部６００ｂ’のＸ方向の端部は支持脚２００ａ’の脚部２２０ａ’の上端部にネジ又はピンで固定されている。連結部６００ｂ’のＸ’方向の端部は支持脚２００ｂ’の脚部２２０ｂ’の上端部にネジ又はピンで固定されている。このように連結部６００ｂ’は、脚部２２０ａ’と脚部２２０ｂ’とを連結している。なお、連結部６００ａ’、６００ｂ’が特許請求の範囲の連結部に相当している。支持脚２００ａ’の連結部２３０ａ’及び支持脚２００ｂ’の連結部２３０ｂ’も特許請求の範囲の連結部に相当している。
【００７６】
連結部６００ａ’、６００ｂ’は、Ｕ字状のパイプ、下向き略Ｕ字状のパイプ、直線状のパイプ又は耐熱性を有する板に設計変更可能である。
【００７７】
フレーム１００ａ’のフレーム本体１１０ａ’のＹ方向の端部は、図３Ｂに最も良く示されているように、支持脚２００ａ’の脚部２１０ａ’の上端部及び連結部６００ａ’のＸ方向の端部にネジ又はピンで固定されている。フレーム本体１１０ａ’のＹ’方向の端部が支持脚２００ａ’の脚部２２０ａ’の上端部及び連結部６００ｂ’のＸ方向の端部にネジ又はピンで固定されている。
【００７８】
フレーム１００ｂ’のフレーム本体１１０ｂ’のＹ方向の端部は、図３Ｃに最も良く示されているように、支持脚２００ｂ’の脚部２１０ｂ’の上端部及び連結部６００ａ’のＸ’方向の端部にネジ又はピンで固定されている。フレーム本体１１０ｂ’のＹ’方向の端部が支持脚２００ｂ’の脚部２２０ｂ’の上端部及び連結部６００ｂ’のＸ’方向の端部にネジ又はピンで固定されている。
【００７９】
実施例２と同様に、火床３００と、上板４００と、下板５００と、フレーム１００ａ’、１００ｂ’（フレーム本体１１０ａ’、１１０ｂ’、第１鍔部１４０ａ’、１４０ｂ’、及び第２鍔部１５０ａ’、１５０ｂ’）とにより、調理空間（特許請求の範囲の請求項２の空間に相当する。）が区画されている。下板５００及び／又は火床３００が調理空間に対して連結部６００ａ’又は６００ｂ’内からＹ−Ｙ’方向に出し入れ自在である。
【００８０】
以下、上記した構成のバーベキューグリルＧ３の組み立て手順について詳しく説明する。連結部６００ａ’及び支持脚２００ａ’、２００ｂ’を用意する。連結部６００ａ’のＸ方向の端部が支持脚２００ａ’の脚部２１０ａ’に固定される。連結部６００ａ’のＸ’方向の端部が支持脚２００ｂ’の脚部２１０ｂ’に固定される。連結部６００ｂ’を用意する。連結部６００ｂ’のＸ方向の端部が支持脚２００ａ’の脚部２２０ａ’に固定される。連結部６００ｂ’のＸ’方向の端部が支持脚２００ｂ’の脚部２２０ｂ’に固定される。これにより、支持脚２００ａ’、２００ｂ’がＸ−Ｘ’方向において間隔をあけて対向し、連結部６００ａ’、６００ｂ’がＹ−Ｙ’方向において間隔をあけて対向する。
【００８１】
その後、フレーム１００ａ’を用意する。フレーム１００ａ’のＹ方向の端部が支持脚２００ａ’の脚部２１０ａ’及び連結部６００ａ’のＸ方向の端部に固定される。フレーム１００ａ’のＹ’方向の端部が支持脚２００ａ’の脚部２２０ａ’及び連結部６００ｂ’のＸ方向の端部に固定される。その後、フレーム１００ｂ’を用意する。フレーム１００ｂ’のＹ方向の端部が支持脚２００ｂ’の脚部２１０ｂ’及び連結部６００ａ’のＸ’方向の端部に固定される。フレーム１００ｂ’のＹ’方向の端部が支持脚２００ｂ’の脚部２２０ｂ’及び連結部６００ｂ’のＸ’方向の端部に固定される。これにより、フレーム１００ａ’、１００ｂ’がＸ−Ｘ’方向において間隔をあけて対向する。火床３００、上板４００及び下板５００は、実施例１と同様に、フレーム１００ａ’、１００ｂ’に支持される。
【００８２】
以上のようなバーベキューグリルＧ３は、バーベキューグリルＧ２と同様の第１〜第４の技術的特徴及び効果を有する。
【実施例４】
【００８３】
以下、本発明の実施例４に係るバーベキューグリルＧ４について図４Ａ〜図４Ｂを参照しつつ説明する。バーベキューグリルＧ４は、グリル本体７００と、複数の脚部８００と、火床３００’と、上板４００’と、下板５００’とを備えている。以下、バーベキューグリルＧ４の各構成要素について詳しく説明する。実施例１と同様に、図４Ａ中にＸ−Ｘ’方向及びＺ−Ｚ’方向が付されおり、図４Ｂ〜図４Ｂ中にＹ−Ｙ’方向及びＺ−Ｚ’方向が付されている。
【００８４】
グリル本体７００は、図４Ａ〜図４Ｂに示されているように、上方に開放された金属製の箱である。グリル本体７００は、フレーム７１０ａ、７１０ｂと、連結部７２０ａ、７２０ｂと、底板７３０とを有している。
【００８５】
フレーム７１０ａ、７１０ｂはＸ−Ｘ’方向において間隔をあけて対向する長方形の金属板である。連結部７２０ａ、７２０ｂはＹ−Ｙ’方向において間隔をあけて対向する長方形の金属板である。連結部７２０ａはフレーム７１０ａ、７１０ｂのＹ方向の端を連結している。連結部７２０ｂはフレーム７１０ａ、７１０ｂのＹ’方向の端を連結している。
【００８６】
底板７３０は長方形の金属板である。底板７３０は、フレーム７１０ａ、７１０ｂ及び連結部７２０ａ、７２０ｂによって区画された空間を下方から閉塞するようにフレーム７１０ａ、７１０ｂ及び連結部７２０ａ、７２０ｂに固定されている。具体的には以下の通りである。底板７３０のＸ方向の端がフレーム７１０ａのＺ’方向の端に一体的に接続されている。底板７３０のＸ’方向の端がフレーム７１０ｂのＺ’方向の端に一体的に接続されている。底板７３０のＹ方向の端が連結部７２０ａのＺ’方向の端に一体的に接続されている。底板７３０のＹ’方向の端が連結部７２０ｂのＺ’方向の端に一体的に接続されている。
【００８７】
脚部８００は直線状のポールである。脚部８００のうちの二つの脚部８００が連結部７２０ａにＸ−Ｘ’方向に間隔をあけて固定されている。脚部８００のうちの残りの二つの脚部８００が連結部７２０ｂにＸ−Ｘ’方向に間隔をあけて固定されている。
【００８８】
火床３００’は、上方に開放された金属製の箱である。火床３００’が底板７３０上に載置されている。すなわち、火床３００’は底板７３０に支持されている。
【００８９】
上板４００’は、耐熱性を有する板（例えば、金属板（従来のバーベキューグリルの調理用の鉄板を使用できる。）、セラミック板又は溶岩等の石板等）である。上板４００’のＸ−Ｘ’方向の寸法が、フレーム７１０ａ、７１０ｂ間のＸ−Ｘ’方向の距離よりも大きい。上板４００’がフレーム７１０ａ、７１０ｂ上に載置されている。すなわち、上板４００’は火床３００’よりも上側でフレーム７１０ａ、７１０ｂに支持されている。なお、上板４００’は、実施例１の上板４００と同様に係合部を有する構成とすることが可能である。
【００９０】
下板５００’は、耐熱性を有する板（例えば、金属板、セラミック板又は溶岩等の石板等）である。下板５００’上に食材が配置可能である。下板５００’は、火床３００’と上板４００’との間及びフレーム７１０ａ、７１０ｂの間で火床３００’に支持されている。具体的には、下板５００’は、火床３００’上に載置されている。下板５００’のＸ−Ｘ’方向の寸法は、火床３００’のＸ−Ｘ’方向の寸法より大きく、且つフレーム７１０ａ、７１０ｂ間のＸ−Ｘ’方向の寸法と略同じ又は小さい。下板５００’のＹ−Ｙ’方向の寸法は、火床３００’のＹ−Ｙ’方向の寸法より小さい又は同じとすることが可能である。なお、下板５００’は、実施例１の下板５００と同様に係合部を有する構成とすることが可能である。
【００９１】
上板４００’と、下板５００’と、フレーム７１０ａ、７１０ｂとにより、調理空間が区画されている。換言すると、フレーム７１０ａ、７１０ｂが調理空間のＸ−Ｘ’方向側を閉塞し、上板４００’が調理空間のＺ方向側を閉塞し、火床３００’及び下板５００’が調理空間のＺ’方向側を閉塞している。この調理空間内の空気は、火床３００’内の加熱燃料に加熱されることによって、当該調理空間内で対流する。これにより、調理空間内で食材をオーブン調理することが可能になっている。なお、連結部７２０ａ又は７２０ｂに開口を設けることによって、下板５００’及び／又は火床３００’を調理空間に対してＹ−Ｙ’方向に出し入れ自在とすることが可能である。
【００９２】
以下、上記した構成のバーベキューグリルＧ４の組み立て手順について詳しく説明する。まず、グリル本体７００及び脚部８００を用意する。二つの脚部８００をグリル本体７００の連結部７２０ａに固定し、残り二つの脚部８００を連結部７２０ｂに固定する。その後、火床３００’を用意する。火床３００’をグリル本体７００の底板７３０上に載置する。その後、下板５００’を用意する。火床３００’上に下板５００’を載置する。その後、上板４００’を用意する。上板４００’をグリル本体７００のフレーム７１０ａ、７１０ｂ上に載置する。
【００９３】
上記したバーベキューグリルＧ４は、火床３００’上に下板５００’を載置する前に、火床３００’内に加熱燃料を入れる。その後、下板５００’を火床３００’上に設置し、当該下板５００’上に食材を載せる。その後、上板４００’をグリル本体７００上に設置する。このようにして調理空間内で食材のオーブン調理がなされる。
【００９４】
以上のようなバーベキューグリルＧ４は、以下の技術的特徴及び効果を有する。第１に、バーベキューグリルＧ４は、上記の通りオーブン調理を行うことができる。上板４００’の凹部が下に向けられている場合、調理空間を拡張することができる。
【００９５】
第２に、バーベキューグリルＧ４の大型化及び可搬性の低下が抑制される。上板４００’は、従来のバーベキューグリルの調理用の鉄板に相当する。火床３００’、グリル本体７００及び脚部８００は、従来のバーベキューグリルの火床、グリル本体及び脚部に相当する。よって、バーベキューグリルＧ４は、下板５００’の分、部品点数が増加するだけであるので、バーベキューグリルＧ４の大型化及び可搬性の低下が抑制される。
【００９６】
第３に、上板４００’にも加熱燃料を配置することが可能であるので、上板４００’上の加熱燃料の放射熱を利用してオーブン調理を行うことが可能である。上板４００’の凹部が上（Ｚ方向）に向けられている場合、加熱燃料を凹部内に配置することができる。
【００９７】
第４に、バーベキューグリルＧ４は、オーブン調理と同時に上板４００’上で食材を調理することが可能であり、又は、オーブン調理と別に上板４００’上で食材を調理することが可能である。
【００９８】
なお、本発明のバーベキューグリルは、上記実施例に限定されるものではなく、特許請求の範囲の記載範囲において任意に設計変更することが可能である。以下、詳しく述べる。
【００９９】
本発明の一対のフレームは、第１方向において互いに間隔をあけて対向する限り任意に設計変更することが可能である。本発明の複数の連結部は、上記した何れかの態様の隣り合う二つの脚部と、上記した何れかの態様のフレームとの少なくとも一方を連結する限り任意に設計変更することが可能である。本発明のグリル本体は、上面開放の箱である限り任意に設計変更することが可能である。例えば、グリル本体は、有底の円筒状の箱とすることが可能である。この場合、グリル本体の底板は、円板状となる。グリル本体のフレームは、円筒状板である周壁の第１方向に対向する部分となり、連結部は周壁の隣り合うフレームを繋ぐ部分となる。本発明の複数の脚部は、上記した何れかの態様のフレーム、連結部及び底板の少なくとも一つに固定されている限り任意に設計変更することが可能である。
【０１００】
本発明の火床は、加熱燃料を収容可能であり、且つ上記した何れかの態様のフレーム、連結部、底板及び脚部の少なくとも一つに支持されている限り任意に設計変更することが可能である。例えば、火床が、グリル本体、フレーム、連結部及び／又は脚部に設けられた第１鍔部に支持される構成とすることが可能である。また、火床は、上記した何れかの態様の連結部及び／又は脚部上に載置される構成とすることが可能である。
【０１０１】
本発明の上板は、耐熱性を有する板であって、上記した何れかの態様の火床よりも上側に位置するように、上記した何れかの態様のフレーム、脚部及び連結部の少なくとも一つに支持されている限り任意に設計変更することが可能である。例えば、火床は、グリル本体、フレーム、連結部及び／又は脚部に設けられた第２鍔部に支持される構成とすることが可能である。また、火床は、上記した何れかの態様の連結部及び／又は脚部上に載置される構成とすることが可能である。
【０１０２】
本発明の下板は、食材を載置可能な耐熱性を有する板であって、上記した何れかの態様の火床及び上板の間及びフレームの間に位置するように、上記した何れかの態様のフレーム、脚部及び連結部の少なくとも一つに支持されている限り任意に設計変更することが可能である。例えば、下板は、グリル本体、フレーム、連結部及び／又は脚部に設けられた第３鍔部に支持される構成とすることが可能である。また、下板は、上記した何れかの態様の連結部及び／又は脚部上に載置される構成とすることが可能である。なお、下板が第３鍔部に支持される場合、グリル本体の底板が火床とすることが可能である。すなわち、底板上に加熱燃料が配置される。
【０１０３】
本発明の上板及び／又は下板の係合部は、省略可能である。本発明の本発明の上板及び／又は下板の係合部は、治具に係合され、当該上板及び／又は下板の係合部が持ち運び可能となるものである限り任意に設計変更することが可能である。例えば、係合部は、治具に係合可能なフックや係止片でも良い。
【０１０４】
上記した何れかの態様の上板と下板との間の空間（調理空間）は、第１方向において、上記した何れかの態様のフレームによって閉塞されていなくても良い。すなわち、上板とフレームとの間及び／又は下板とフレームとの間に間隙が生じても良い。また、上記した何れかの態様の上板と下板との間の空間（調理空間）は、第１方向において上記した何れかの態様のフレーム及び連結部によって閉塞されていても良い。例えば、図２Ｂ及び図２Ｃに示されるように、フレーム１００ａ’、１００ｂ’のフレーム本体１１０ａ’、１１０ｂ’の上端が連結部６００ａ、６００ｂの上端部に当接している場合、上板４００が連結部６００ａ、６００ｂの上端部に支持される構成とすることが可能である。この場合、上板４００と下板５００との間の調理空間は、フレーム１００ａ’、１００ｂ’及び連結部６００ａ、６００ｂの上端部によって第１方向において閉塞される。また、図３Ｂ及び図３Ｃに示されるように、フレーム１００ａ’、１００ｂ’のフレーム本体１１０ａ’、１１０ｂ’の上端が連結部２３０ａ’、２３０ｂ’に当接している場合、上板４００が連結部２３０ａ’、２３０ｂ’に支持される構成とすることが可能である。この場合、上板４００と下板５００との間の調理空間は、フレーム１００ａ’、１００ｂ’及び連結部２３０ａ’、２３０ｂ’によって第１方向において閉塞される。これらの場合、第２鍔部は省略可能である。
【０１０５】
なお、上記実施例及び設計変形例におけるバーベキューグリルの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明の第１方向は、第１、第２フレームが対向する方向である限り任意に設定することが可能である。本発明の第２方向は、第１、第２フレームの長手方向である限り任意に設定可能である。
【符号の説明】
【０１０６】
Ｇ１・・・・・・・バーベキューグリル
１００ａ・・・・フレーム
１１０ａ・・・フレーム本体
１２０ａ・・・第１長尺リブ
１３０ａ・・・第２長尺リブ
１４０ａ・・・第１鍔部
１５０ａ・・・第２鍔部
１００ｂ・・・・フレーム
１１０ｂ・・・フレーム本体
１２０ｂ・・・第１長尺リブ
１３０ｂ・・・第２長尺リブ
１４０ｂ・・・第１鍔部
１５０ｂ・・・第２鍔部
２００ａ・・・・支持脚
２１０ａ・・・脚部
２２０ａ・・・脚部
２３０ａ・・・連結部
２００ｂ・・・・支持脚
２１０ｂ・・・脚部
２２０ｂ・・・脚部
２３０ｂ・・・連結部
３００・・・・・火床
３１０・・・・火床本体
３２０ａ・・・フランジ
３２０ｂ・・・フランジ
４００・・・・・上板
４１０・・・・係合部
５００・・・・・下板
【図１Ａ】
2016049182.tif 000003
【図１Ｂ】
2016049182.tif 000004
【図１Ｃ】
2016049182.tif 000005
【図１Ｄ】
2016049182.tif 000006
【図２Ａ】
2016049182.tif 000007
【図２Ｂ】
2016049182.tif 000008
【図２Ｃ】
2016049182.tif 000009
【図３Ａ】
2016049182.tif 000010
【図３Ｂ】
2016049182.tif 000011
【図３Ｃ】
2016049182.tif 000012
【図４Ａ】
2016049182.tif 000013
【図４Ｂ】
2016049182.tif 000014